(57)【要約】【課題】、硬貨投入部の下流側に設けられたシャッタに硬貨が挟まれることを防止する。【解決手段】硬貨投入部７０１が備えるカバー７０２は、開口部７０３の一側で投入硬貨Ｃの一面Ｓと線状に接触する第１部材７１１と、第１部材７１１の下方から開口部７０３の他側の方向に斜め下に延出して第１部材７１１と接触した硬貨Ｃの一面Ｓと線状に接触する第２部材７１２と、開口部７０３の他側の縁から第２部材７１２に向けて斜め下に延出して第２部材７１２との間に、第１部材７１１と第２部材７１２とに接触した硬貨Ｃが一枚通過する第１のスリット７０６を形成する第３部材７１３と、を備える。【選択図】図５
2008108041.tif 000002
【特許請求の範囲】
【請求項１】
ユーザインターフェースと、
前記ユーザインターフェースを正面にユーザが位置した状態で操作可能な位置に配置するハウジングと、
前記ハウジングに設けられ上面に開口部を有するカバーを有する硬貨投入部と、
前記硬貨投入部に投入された硬貨の正偽を判定する硬貨センサと、
前記硬貨センサの下流側に形成された２本の硬貨経路と、
前記硬貨センサと前記２本の硬貨経路との間に配置されて、当該硬貨センサの判定に応じて、硬貨を当該２本の硬貨経路に振り分けて導く振分部と、
前記硬貨センサにより正貨判定されて前記振分部によって前記振り分けされた硬貨が入金される入出金装置と、
を備え、
前記カバーは、
前記開口部の一側で投入硬貨の一面と線状に接触する第１部材と、
前記第１部材の下方から前記開口部の他側の方向に斜め下に延出し、前記第１部材と接触した硬貨の前記一面と線状に接触する第２部材と、
前記開口部の他側の縁から前記第２部材に向けて斜め下に延出し、当該第２部材との間に、前記第１部材と当該第２部材とに接触した硬貨が一枚通過する第１のスリットを形成する第３部材と、
を備える、
セルフチェックアウト端末。
【請求項２】
前記硬貨投入部は、
前記カバーよりも下側の位置に設けられて、前記開口部の一側から他側に向かう方向に低くなる傾斜面と当該傾斜面の終端から湾曲して鉛直方向に延出する湾曲面とを有し、前記第１のスリットを通過した硬貨を当該傾斜面から当該湾曲面に向かう方向にガイドするガイド面部と、
前記湾曲面との間に、前記ガイドされた硬貨が一枚通過する第２のスリットを形成する壁面を有する壁面部と、
を備え、
前記硬貨センサは、前記第２のスリットの下流側に配置されている、
請求項１記載のセルフチェックアウト端末。
【請求項３】
前記ガイド面部は、
前記傾斜面を形成する面部分に、硬貨のガイド方向に長い複数本の縦リブと、前記縦リブに対して交差して当該縦リブとの間に上下方向に貫通した貫通穴を複数形成する複数本の横リブと、を有し、
前記縦リブは、
前記貫通穴を形成する部分が、前記横リブと交差する部分よりも、弧状に凹んだ形状を有する、
請求項２記載のセルフチェックアウト端末。
【請求項４】
前記壁面部は、
前記第２のスリットを硬貨が通過する方向に向かうに従い当該第２のスリットが狭くなるように前記壁面が膨らんでいる、
請求項３記載のセルフチェックアウト端末。
【請求項５】
前記カバーは、前記ガイド面部を露出するように開閉自在に設けられている、請求項１ないし４いずれか一記載のセルフチェックアウト端末。
【請求項６】
前記カバーは、透明な部材である、請求項１ないし５いずれか一記載のセルフチェックアウト端末。
【請求項７】
前記硬貨センサと、前記２本の硬貨経路と、前記振分部と、を有する硬貨選別装置を備える、請求項１ないし６いずれか一記載のセルフチェックアウト端末。
【請求項８】
前記ユーザインターフェースは、
情報を表示する表示部と、情報を入力する入力部と、商品コードを読み取る読取部と、を含む、
請求項１ないし７いずれか一記載のセルフチェックアウト端末。
【発明の詳細な説明】
【技術分野】
【０００１】
本発明は、顧客によるセルフチェックアウトを可能にするセルフチェックアウト端末に関する。
【背景技術】
【０００２】
従来、顧客によるセルフチェックアウトを可能にしたセルフチェックアウト端末がある。このようなセルフチェックアウト端末には、現金による決済を可能とするために、小型化された入出金装置（例えば、特許文献１参照）がハウジングに内蔵されている。
【０００３】
ところで、近年、不正に偽造された硬貨（偽貨）が広まっている。そして、意図的か否かに関わらず、顧客がセルフチェックアウトの決済に偽貨を使用することがある。
【０００４】
そこで、偽貨による現金決済を防止するために、入出金装置を備えるセルフチェックアウト端末には、硬貨選別装置が内蔵されていることが多い。
【０００５】
図１１は、硬貨選別装置１を示す模式図である。硬貨選別装置１は、投入された硬貨Ｃの正偽を硬貨センサ２により判定し、判定結果に応じて硬貨を正貨経路３と偽貨経路４とに振り分けるものである。このような硬貨の振り分けは、硬貨選別装置１の内部のシャッタ５（振分部）により行われる。つまり、投入された硬貨Ｃが硬貨センサ２によって正貨と判定されれば、図１１中点線で示すように、シャッタ５が開いて硬貨Ｃは正貨経路３に導かれる。また、偽貨と判定されればシャッタ５は閉じたままとなり、硬貨Ｃはシャッタ５に衝突して偽貨経路４に導かれる。
【０００６】
【特許文献１】特開２００４−２５２８０８公報
【発明の開示】
【発明が解決しようとする課題】
【０００７】
ところが、上述したような硬貨選別装置では、投入された硬貨が硬貨選別装置の内部のシャッタに挟まれてしまうという問題が発生することがある。
【０００８】
一例として、図１１に示した硬貨選別装置１に対して連続して２枚の硬貨が投入され、かつ、先の硬貨が正貨であり、後の硬貨が偽貨である場合について説明する。この場合、シャッタ５は先の硬貨（正貨）を正貨経路３に通すためにまず開状態（図１１中点線で示す）となり、続けて、後の硬貨（偽貨）を偽貨経路４に排除するために閉状態となる。この際、連続する２枚の硬貨の間隔が短いほど、シャッタ５が開状態から閉状態となる時間が短くなる。その結果、先の硬貨がシャッタ５を通過し終わらないうちに、シャッタ５が閉じてしまい、図１２に示すように、先の硬貨がシャッタ５に挟まれてしまう場合がある。図１２は、硬貨がシャッタ５に挟まれた状態を示す模式図である。５００円硬貨のような比較的重量のある硬貨については、シャッタ５に挟まれた状態からその自重によって脱出し得ることもある一方で、１円硬貨のような比較的軽量な硬貨については、挟まれた状態から自重によって脱出することは困難である。
【０００９】
セルフチェックアウトでは、決済を行う性質上、複数枚の硬貨が一度に投入され、かつ１円玉も使用されるため、このような問題が生じ易い。
【００１０】
本発明の目的は、硬貨投入部の下流側に設けられたシャッタに硬貨が挟まれることを防止することができるセルフチェックアウト端末を提供することである。
【課題を解決するための手段】
【００１１】
本発明のセルフチェックアウト装置は、ユーザインターフェースと、前記ユーザインターフェースを正面にユーザが位置した状態で操作可能な位置に配置するハウジングと、前記ハウジングに設けられ上面に開口部を有するカバーを有する硬貨投入部と、前記硬貨投入部に投入された硬貨の正偽を判定する硬貨センサと、前記硬貨センサの下流側に形成された２本の硬貨経路と、前記硬貨センサと前記２本の硬貨経路との間に配置されて、当該硬貨センサの判定に応じて、硬貨を当該２本の硬貨経路に振り分けて導く振分部と、前記硬貨センサにより正貨判定されて前記振分部によって前記振り分けされた硬貨が入金される入出金装置と、を備え、前記カバーは、前記開口部の一側で投入硬貨の一面と線状に接触する第１部材と、前記第１部材の下方から前記開口部の他側の方向に斜め下に延出し、前記第１部材と接触した硬貨の前記一面と線状に接触する第２部材と、前記開口部の他側の縁から前記第２部材に向けて斜め下に延出し、当該第２部材との間に、前記第１部材と当該第２部材とに接触した硬貨が一枚通過する第１のスリットを形成する第３部材と、を備える。
【発明の効果】
【００１２】
本発明によれば、硬貨が一枚ずつ投入されるため、間隔をあけて硬貨が投入されることになり、硬貨がシャッタに挟まれることを防止することができる。
【発明を実施するための最良の形態】
【００１３】
本発明の実施の一形態を図１ないし図１０に基づいて説明する。
【００１４】
図１は、セルフチェックアウト端末１０１を示す斜視図である。本実施の形態のセルフチェックアウト端末１０１は、決済端末２０１と、決済端末２０１の左側に配置された２台の秤装置３０１とから構成されている。
【００１５】
決済端末２０１は、床面に設置されるベースハウジング２０２と、ベースハウジング２０２の上面に載置される上部ハウジング２０３とをハウジングとして有している。ベースハウジング２０２の右側面には、顧客が購入しようとする商品を入れた買物カゴ（図示せず）を載置するためのカゴ載置台１０２が設けられている。
【００１６】
ベースハウジング２０２及び上部ハウジング２０３には、図示しない顧客（ユーザ）によるセルフチェックアウトを可能にするユーザインターフェースを含む各部が、正面に顧客が位置した状態で操作可能な位置に配置されている。
【００１７】
上部ハウジング２０３の前面の右側には、ユーザインターフェースとして、商品コードを読み取る読取部としてのバーコードスキャナ２０４が配置されている。バーコードスキャナ２０４は、各商品にバーコードの形態で付された商品コードを光学的に読み取るものである。上部ハウジング２０３の前面右側には、レシート発行口２０８が形成されたプリンタカバー２０５が配置されている。バーコードスキャナ２０４とプリンタカバー２０５との間には、上部ハウジング２０３に内蔵されたカードリーダライタ２５２（図２参照）のカード挿入口２１２が形成されている。プリンタカバー２０５の奥側には、レシートプリンタ２５１（図２参照）が上部ハウジング２０３に内蔵されて設けられている。レシートプリンタ２５１によって印字されるレシート（図示せず）は、レシート発行口２０８から発行される。上部ハウジング２０３には、スピーカ２７１（図２参照）も内蔵されている。
【００１８】
上部ハウジング２０３には、ユーザインターフェースとして、情報を表示する表示部としてのＬＣＤ２１０が設けられている。また、ＬＣＤ２１０の表示面には、同じくユーザインターフェースとして、情報を入力する入力部としてのタッチパネル２１１が取り付けられている。
【００１９】
ベースハウジング２０２には、入出金装置として硬貨入出金装置４０１及び紙幣入出金装置５０１が内蔵されている（いずれも図２参照）。また、硬貨選別装置６０１も内蔵されている（図２参照）。ベースハウジング２０２の中央上面には顧客が硬貨を投入するための硬貨投入部７０１が設けられている。硬貨投入部７０１は、その上面に開口部７０３が形成されたカバー７０２が開閉自在に取り付けられている。ベースハウジング２０２の前面の左側には硬貨入出金装置４０１の一部である出金口４０４が露出している。出金口４０４の下方には硬貨を受ける硬貨受部４０５が設けられている。ベースハウジングの前面の右側には、紙幣入出金装置５０１の一部である紙幣入金口５０３と紙幣出金口５０４とが露出している。
【００２０】
ベースハウジング２０２の背面には、セルフチェックアウト端末１０１の現在の状態を表示する表示ポール２１７が立設している。表示ポール２１７は、先端部に青色と赤色とに選択的に発光する発光部２１８を有する。
【００２１】
次に、秤装置３０１について説明する。秤装置３０１の秤ハウジング３０２の上部には、秤皿３０３が設けられている。秤皿３０３は、その上面に載置台３０３ａを有する。載置台３０３ａには、袋保持具３０４が取り付けられている。つまり、載置台３０３ａの後方中央部にはポール形状のアーム支持部３０５が立設され、アーム支持部３０５の上端には一時置き台３０６が固定されている。一時置き台３０６は、上面が平坦面となっている。一時置き台３０６は、バーコードスキャナ２０４でバーコードを読み取った後の商品を一時的に置く用途で用いられる台である。一時置き台３０６の下面には、保持アーム３０７とフック３０８とが取り付けられている。保持アーム３０７は、ビニール製のレジ袋（図示せず）が有する一対の把手を串刺し状態で保持する。レジ袋には、一対の把手の間にミシン目で脱落可能であって引掛け穴が形成された耳部が形成されており、フック３０８は、引掛け穴を挿通してレジ袋を保持アーム３０７と共に保持する。秤ハウジング３０２は、載置台３０３ａに載置された商品の荷重を電気信号に変換する図示しないロードセルユニットを内蔵する。ロードセルユニットからの出力信号は、決済端末２０１へ出力される。
【００２２】
図２は、決済端末２０１が備える各部の電気的接続を示すブロック図である。決済端末２０１は、各部の制御を受け持つ制御部２５３を備える。制御部２５３は、各部を集中的に制御するＣＰＵ２５５、固定データを固定的に記憶するＲＯＭ２５６、可変データを書き換え自在に記憶するＲＡＭ２５４、ＬＣＤ２１０に表示する表示画像を生成するＶＲＡＭ２５７、ＨＤＤ２５８により構成されている。ＨＤＤ２５８には動作プログラム、ＰＬＵファイル、画像ファイル、音声ファイル、売上ファイル等の各種ファイルが記憶保存されている。これらの動作プログラム、各種ファイル等は、その全部又は一部が決済端末２０１の起動時にＲＡＭ２５４に移されて使用される。ＰＬＵファイルは、各商品を特定する商品コードに対応させて、単価の他に、重量、重量に対する下限値と上限値、商品表示等を書き換え自在に記憶する。
【００２３】
制御部２５３には、バーコードスキャナ２０４、ＬＣＤ２１０、タッチパネル２１１、レシートプリンタ２５１、カードリーダライタ２５２、スピーカ２７１、発光部２１８、硬貨入出金装置４０１、紙幣入出金装置５０１、硬貨選別装置６０１、秤装置３０１や複数のセルフチェックアウト端末１０１を監視するためのアテンダント端末（図示せず）等との間のデータ通信を実現する通信インターフェース２６１がバスライン２５９を介して接続されている。制御部２５３は、これらの各部を制御し、検索処理と重量チェック処理と商品販売データ処理とを実行する。
【００２４】
検索処理は、バーコードスキャナ２０４によって商品に付されたバーコードが読み取られた場合、このバーコードによって特定される商品コードを認識し、ＰＬＵファイルを検索してその商品コードに対応する単価、重量及び商品表示を取得する。
【００２５】
重量チェック処理は、バーコードの読み取り後に秤装置３０１によって計量された重量が、検索処理によって取得した重量と同一性を有しているかどうかを判定する処理である。同一性を有しているかどうかは、計量重量が検索処理によって取得した重量の下限値と上限値との間に収まっているかどうかを判定することによってなされる。
【００２６】
商品販売データ処理は、検索処理によって取得した単価に基づいて決済金額を算出し、その決済金額の決済を実行する処理である。決済金額は、ＲＡＭ２５４等に仮登録するか、あるいは売上ファイルに登録する。決済処理では、算出した決済金額について、現金を利用した決済を可能にする。現金の扱いは、硬貨入出金装置４０１又は紙幣入出金装置５０１により実行される。本実施の形態では、商品販売データ処理という概念は、検索処理や重量チェック処理等を含む広義の概念として用いている。
【００２７】
図３は、硬貨投入部７０１を示す斜視図である。硬貨投入部７０１は、ベースハウジング２０２から上方に向けて突出した外枠部７０５を有する。外枠部７０５の上面には、カバー７０２が設けられている。カバー７０２は、上面から見て角丸の正方形形状を有している。カバー７０２には、中央より左寄りの位置に上面が開口した開口部７０３が形成されている。そして、開口部７０３には、硬貨が一枚通過可能な第１のスリット７０６が形成されている。外枠部７０５の左側には、ヒンジ７０４が設けられている。ヒンジ７０４によってカバー７０２は、外枠部７０５に対して開閉自在となっている。
【００２８】
また、カバー７０２は、アクリル等の透明な部材である。したがって、図３に示すように、硬貨投入部７０１は、カバー７０２が閉じられた状態であっても、カバー７０２に下方に設けられた硬貨投入部７０１が有する各部について視認できる態様となっている。
【００２９】
図４は、カバー７０２が開いた状態の硬貨投入部７０１を示す斜視図である。カバー７０２が開いた状態となることで、カバー７０２に下方に設けられた硬貨投入部７０１が有する各部が外部に露出する。カバー７０２が閉状態における開口部７０３の下方の位置には、ガイド面部８０１が設けられている。ガイド面部８０１は、図４中、左下から右上に向けて低くなるように傾斜している。ガイド面部８０１の傾斜方向の先には、壁面部８１１が設けられている。そして、ガイド面部８０１が有する面と壁面部８１１が有する面とによって、硬貨が一枚通過可能な第２のスリット９０１が形成されている。また、後述するように、ガイド面部８０１の一部には、上下方向に貫通した複数の貫通穴８０６が形成されている。
【００３０】
なお、ガイド面部８０１の右側には、傾斜部８４１が設けられている。傾斜部８４１は、外枠部７０５の右縁からガイド面部８０１に向けて傾斜した傾斜面を有している。
【００３１】
カバー７０２が透明であることで、硬貨投入部７０１の内部の不具合を発見し易く、また、カバー７０２が開閉自在であるため、その不具合を解消するための操作及びメンテナンス等を容易に行うことができる。
【００３２】
図５は、硬貨投入部７０１を示す側面図である。カバー７０２は、それぞれがカバー７０２の一部分である第１部材７１１、第２部材７１２、及び第３部材７１３を有しており、これらは、開口部７０３を形成するように構成されている。
【００３３】
第１部材７１１は、開口部７０３の一側（図５中右側）で、投入される硬貨Ｃの一面Ｓと線状に接触する。
【００３４】
第２部材７１２は、第１部材７１１の下方から開口部７０３の他側（図５中左側）の方向に斜め下に面７１２ｂを形成して延出し、第１部材７１１と接触した硬貨Ｃの一面Ｓと線状に接触する。
【００３５】
第３部材７１３は、開口部７０３の他側の縁から第２部材７１２に向けて斜め下に面７１３ｂを形成して延出している。そして、第２部材７１２との間に第１のスリット７０６を形成している。
【００３６】
図５に示すように、第１部材７１１と第２部材７１２とに接触している硬貨Ｃは、その上方部分が開口部７０３の一側（図５中右側）に倒れた傾斜状態となる。そして、第１のスリット７０６は、この状態の硬貨Ｃが一枚だけ通過可能である幅を有している。
【００３７】
第１部材７１１と第２部材７１２とは、硬貨Ｃに対して互いに平行な線で接触するように形成されている。
【００３８】
カバー７０２よりも下側の位置には、前述したようにガイド面部８０１が設けられている。そして、ガイド面部８０１の傾斜方向の先には、壁面部８１１が設けられている。
【００３９】
ガイド面部８０１は、開口部７０３の一側（図５中右側）から他側（図５中左側）に向かう方向に低くなる傾斜面８０２と、傾斜面８０２の終端から湾曲して鉛直方向に延出する湾曲面８０３とを有している。
【００４０】
壁面部８１１が有する壁面８１２と湾曲面８０３との間には、硬貨Ｃが鉛直方向に一枚だけ通過する第２のスリット９０１が形成されている。
【００４１】
ガイド面部８０１は、第１のスリット７０６を通過した硬貨Ｃを、傾斜面８０２から湾曲面８０３に向かう方向にガイドする。つまり、硬貨Ｃは、ガイド面部８０１の面（傾斜面８０２及び湾曲面８０３）上をその自重により第２のスリット９０１に向けて移動する。そして、ガイド面部８０１によってガイドされた硬貨Ｃは、第２のスリット９０１を通過する。
【００４２】
ガイド面部８０１の傾斜面８０２を形成する部分は、硬貨Ｃのガイド方向に長い縦リブ８０４と、縦リブ８０４に対して直交方向に交差する横リブ８０５とを有している。つまり、傾斜面８０２は、縦リブ８０４と横リブ８０５とよってその面の一部が構成されている。そして、縦リブ８０４と横リブ８０５との間には、上下方向に貫通した貫通穴８０６が複数形成されている。なお、ガイド面部８０１の下側には、図示しないゴミ受部が設けられている。
【００４３】
また、図５に示すように、縦リブ８０４は、貫通穴８０６を形成する部分が、横リブ８０５との交差部分よりも、弧状に凹んだ形状を有している。ところで、開閉自在なカバー７０２を開いて硬貨Ｃを投入する場合がある。その場合、投入される硬貨Ｃの向きは第１のスリット７０６のようなものに規制されない。そのため、硬貨Ｃがその両面を外枠部７０５の左右の両側（図５中手前側及び奥側）に向けて、貫通穴８０６にはまってしまうような場合がある。しかし、本実施の形態によれば、縦リブ８０４は、貫通穴８０６を形成する部分が弧状に凹んでいるため、硬貨Ｃの側面と縦リブ８０４との接触部分は小さく、硬貨Ｃは一側方に倒れる。そして、ガイド面部８０１の面上を自重により移動する。
【００４４】
そして、第２のスリット９０１の下流側には、図５に示すように、硬貨選別装置６０１が配置されている。硬貨選別装置６０１は、投入された硬貨の正偽を硬貨センサ６１１（図６参照）により判定し、判定結果に応じて硬貨を２本の硬貨経路としての正貨経路６１５（図６参照）と偽貨経路６１６（図６参照）とに振り分けるものである。硬貨選別装置６０１のハウジング６０２の上面部分には、スリット６０３が形成されている。第２のスリット９０１を通過した硬貨Ｃは、落下してスリット６０３に投入される。
【００４５】
図６は、硬貨選別装置６０１を模式的に示す側面図である。硬貨選別装置６０１が有するハウジング６０２の上面には、硬貨投入部７０１の第２のスリット９０１を通過した硬貨が通過するスリット６０３が形成されている。ハウジング６０２の内部には、スリット６０３からハウジング６０２の内部に至る硬貨経路６１４と、硬貨経路６１４からハウジング６０２の下面に形成された正貨排出口６０４に至る正貨経路６１５と、硬貨経路６１４からハウジング６０２の下面に形成された偽貨排出口６０５に至る偽貨経路６１６と、が形成されている。
【００４６】
硬貨経路６１４中には、硬貨経路６１４を通過する硬貨の正偽判定を行う硬貨センサ６１１が設けられている。硬貨センサ６１１は、例えば、硬貨の大小、材質、表面の凹凸等の特性を感知する磁力センサである。硬貨センサ６１１は、硬貨の金種についても判別可能である。
【００４７】
正貨経路６１５と偽貨経路６１６との分岐点には、標準状態で正貨経路６１５を塞ぐように、振分部としてのシャッタ６１３が設けられている。シャッタ６１３は、シャッタソレノイド（図示せず）の駆動制御によって開閉自在となっている。硬貨経路６１４を通過する硬貨が正貨であると硬貨センサ６１１によって判定された場合には、シャッタ６１３は所定の時間、開状態（図６中点線で示す）となり、正貨経路６１５への通過が許され、硬貨は、正貨排出口６０４から排出される。一方、硬貨が偽貨であると判定された場合には、シャッタ６１３は開かずに閉状態が保持される。硬貨は閉じたシャッタ６１３により正貨経路６１５への通行が妨げられて、偽貨経路６１６へと導かれ、偽貨排出口６０５から排出される。
【００４８】
図７は、硬貨投入部７０１と硬貨選別装置６０１と硬貨入出金装置４０１との関係を概略的に示す斜視図である。図７では、決済端末２０１が備えるその他の各部については省略して示す。また、図７中、硬貨の流れを矢視している。
【００４９】
まず、硬貨入出金装置４０１について説明する。硬貨入出金装置４０１は、入金口４０３と出金口４０４とが形成されたハウジング４０２を有する。硬貨入出金装置４０１は、入金口４０３に投入された硬貨を金種別に選別し、選別した硬貨を金種別に収納し、収納した硬貨を出金口４０４から出金する。硬貨入出金装置４０１は、硬貨の取扱いを可能にする機構部（図示せず）とこの機構部を制御する制御部（図示せず）とを有している。このような機構部の構造及び制御部での処理手順等については、その内容が周知なので、説明を省略する。
【００５０】
硬貨投入部７０１を介して投入された硬貨、つまり、第１のスリット７０６を通過して、第２のスリット９０１を通過した硬貨は、硬貨選別装置６０１のスリット６０３に投入される。硬貨は、硬貨選別装置６０１で正偽判定がなされて、正貨排出口６０４または偽貨排出口６０５から排出される。
【００５１】
そして、硬貨選別装置６０１の正貨排出口６０４から排出された硬貨は、硬貨入出金装置４０１の入金口４０３に投入される。また、硬貨選別装置６０１の偽貨排出口６０５から排出された硬貨は、ベースハウジング２０２に設けられているガイド部６０６の投入口６０６ａに投入される。ガイド部６０６は、投入口６０６ａに投入された硬貨を硬貨受部４０５までガイドするものである。つまり、硬貨投入部７０１に投入されて正貨と判定された硬貨は硬貨入出金装置４０１に入金される。一方、偽貨と判定された硬貨はガイド部６０６を介して硬貨受部４０５に返却される。
【００５２】
このような構成において、セルフチェックアウト端末１０１を使用したセルフチェックアウトに際して、顧客が現金による決済を実行する場合、顧客は硬貨投入部７０１を介して決済金額に応じた硬貨を投入する。この際、硬貨は、開口部７０３に向けて投入されることになる。投入された硬貨は、その下端が、第２部材７１２が形成する面７１２ｂ、若しくは、第３部材７１３が形成する面７１３ｂと接触する。接触した硬貨は、自重によって、その下端が第１のスリット７０６に向けて滑る。そして、硬貨は、その一面Ｓが第１部材７１１と第２部材７１２とに接触した状態となり（図２参照）、自重によって第１のスリット７０６を通過する。
【００５３】
第１のスリット７０６の幅は、硬貨一枚のみの通過を許容するものであることから、顧客は、硬貨を一枚ずつ投入することになる。そのため、決済において複数枚の硬貨投入が必要である場合にも、一度に複数枚の硬貨投入がなされることはなく、間隔をあけて一枚ずつ硬貨が投入される。その結果、硬貨選別装置６０１にも間隔をあけて一枚ずつ硬貨が投入されることになる。こうして、例えば、先に正貨、後に偽貨が続けて投入された場合であっても、その投入間隔がより長いため、後の偽貨を排除するためにシャッタ６１３が閉まる際に、シャッタ６１３を通過し終えていない先の正貨がシャッタ６１３に挟まれてしまうような不具合を防止することができる。
【００５４】
また、第１のスリット７０６を目がけて硬貨を投入する必要がないため、狭いスリットのみが形成されているような場合よりも、硬貨を投入する作業が容易なものとなる。
【００５５】
そして、カバー７０２の下のガイド面部８０１には貫通穴８０６が形成されている。そのため、第１のスリット７０６を通過したゴミ（例えば、投入硬貨に付着していたゴミ）は、貫通穴８０６から落下する。こうして、ゴミが第２のスリット９０１から落下して硬貨選別装置６０１等に入ってしまうことが防止される。
【００５６】
図８は、硬貨Ｃが壁面８１２と接触している状態の硬貨投入部７０１を示す側面図である。
【００５７】
図９は、第２のスリット９０１を硬貨Ｃが通過している状態の硬貨投入部７０１を示す側面図である。
【００５８】
第１のスリット７０６を通過した硬貨Ｃは、ガイド面部８０１の面（傾斜面８０２及び湾曲面８０３）上をその自重により第２のスリット９０１に向けて移動する。この際、硬貨Ｃは、ガイド面部８０１の面と接触しながら移動するため、摩擦が発生し、自由落下で第２のスリット９０１で通過する場合よりも、その通過速度は低減される。
【００５９】
また、ガイド面部８０１の面上をガイドされた硬貨Ｃは、その下端が壁面部８１１の壁面８１２に接触した後に（図８参照）、落下して第２のスリット９０１を通過する（図９参照）。つまり、硬貨Ｃと壁面８１２との接触により摩擦が発生するため、硬貨Ｃが第２のスリット９０１を通過する際の初速がより一層低減されることになる。
【００６０】
こうして、硬貨Ｃが第２のスリット９０１を通過する際の速度を低減することにより、硬貨Ｃが硬貨選別装置６０１へ投入される際の速度についても低減されることになる。
【００６１】
ところで、硬貨が勢い良く硬貨選別装置６０１に投入された場合、硬貨が硬貨経路６１４の内部で経路の内壁に何度も反射するようにして暴れてしまい、硬貨センサ６１１からシャッタ６１３までの硬貨の移動時間が長くなってしまうことがある。すると、正貨と判定された硬貨であっても、シャッタ６１３が開いている間にシャッタ６１３を通過し終えることができずに、シャッタ６１３に挟まれてしまうことがある。
【００６２】
しかしながら、本実施の形態によれば、硬貨Ｃが硬貨選別装置６０１へ投入される際の速度が低減されるため、このような問題を回避することができる。
【００６３】
図１０は、硬貨投入部７０１の別の一例を示す側面図である。図１０に示す硬貨投入部７０１について、図５、図８、及び図９に基づいて説明した硬貨投入部７０１と異なる点は、壁面部８１１の形状である。つまり、図１０に示す硬貨投入部７０１が備える壁面部８１１は、硬貨Ｃが第２のスリット９０１を通過する方向に向かうに従い第２のスリット９０１が狭くなるように壁面８１２が膨らんでいる。このような壁面８１２を有する壁面部８１１とすることで、硬貨Ｃが落下して第２のスリット９０１を通過する際に、硬貨Ｃと壁面８１２とが接触する時間がより長くなる。こうして、硬貨Ｃと壁面８１２との摩擦がより大きくなり、第２のスリット９０１の通過速度がより低減される。
【図面の簡単な説明】
【００６４】
【図１】セルフチェックアウト端末を示す斜視図である。
【図２】決済端末が備える各部の電気的接続を示すブロック図である。
【図３】硬貨投入部を示す斜視図である。
【図４】カバーが開いた状態の硬貨投入部を示す斜視図である。
【図５】硬貨投入部を示す側面図である。
【図６】硬貨選別装置を模式的に示す側面図である。
【図７】硬貨投入部と硬貨選別装置と硬貨入出金装置との関係を概略的に示す斜視図である。
【図８】硬貨が壁面と接触している状態の硬貨投入部を示す側面図である。
【図９】第２のスリットを硬貨が通過している状態の硬貨投入部を示す側面図である。
【図１０】硬貨投入部の別の一例を示す側面図である。
【図１１】硬貨選別装置を示す模式図である。
【図１２】硬貨がシャッタに挟まれた状態を示す模式図である。
【符号の説明】
【００６５】
１０１…セルフチェックアウト端末、２０２…ベースハウジング（ハウジング）、２０３…上部ハウジング（ハウジング）、２０４…バーコードスキャナ（読取部、ユーザインターフェース）、２１０…ＬＣＤ（表示部、ユーザインターフェース）、２１１…タッチパネル（入力部、ユーザインターフェース）、４０１…硬貨入出金装置（入出金装置）、６０１…硬貨選別装置、６１１…硬貨センサ、６１３…シャッタ（振分部）、６１５…正貨経路（２本の硬貨経路）、６１６…偽貨経路（２本の硬貨経路）、７０１…硬貨投入部、７０２…カバー、７０３…開口部、７０６…第１のスリット、７１１…第１部材、７１２…第２部材、７１３…第３部材、８０１…ガイド面部、８０２…傾斜面、８０３…湾曲面、８０４…縦リブ、８０５…横リブ、８０６…貫通穴、８１１…壁面部、８１２…壁面、９０１…第２のスリット
【図１】
2008108041.tif 000003
【図２】
2008108041.tif 000004
【図３】
2008108041.tif 000005
【図４】
2008108041.tif 000006
【図５】
2008108041.tif 000007
【図６】
2008108041.tif 000008
【図７】
2008108041.tif 000009
【図８】
2008108041.tif 000010
【図９】
2008108041.tif 000011
【図１０】
2008108041.tif 000012
【図１１】
2008108041.tif 000013
【図１２】
2008108041.tif 000014